(57)【要約】【課題】循環部材に吸殻移送部材を取付ける取付作業性を改善した吸殻回収装置及び吸殻移送部材を提供する。【解決手段】吸殻回収装置３は、エンドレス状の循環部材３３と共に移動するように循環部材３３に保持され吸殻を移送させる吸殻移送部材６を備える。循環部材３３は第１係止孔４７をもつ。吸殻移送部材６は、吸殻を移動させるスクレイパー７と、エンドレス状の循環部材３３の第１係止孔４７に嵌め込まれることによりスクレイパー７を循環部材３３に接続させる挿入係止部材８とを有する。循環部材３３の第１係止孔４７に挿入係止部材８を嵌め込ませることにより、スクレイパー７を循環部材３３に接続させることができる。挿入係止部材８はゴム等の可撓性材料を基材とし、弾性変形容易であるため、挿入係止部材８を簡単な操作でエンドレス状の循環部材３３の第１係止孔４７に接続することができる。【選択図】図３
2005318831.tif 000002
【特許請求の範囲】
【請求項１】
複数個並設された吸殻投入口に沿って延設され前記吸殻投入口から投入された吸殻を受ける吸殻受け部と、前記吸殻受け部に沿って移動するエンドレス状の循環部材と、エンドレス状の前記循環部材と共に移動するように前記循環部材に保持され前記吸殻受け部の吸殻を移送させる吸殻移送部材とを具備する吸殻回収装置において、
前記吸殻移送部材は、吸殻を移動させるスクレイパーと、エンドレス状の前記循環部材に挿入係止されることにより前記スクレイパーを前記循環部材に接続させる挿入係止部材とを有しており、
前記挿入係止部材は可撓性材料を基材とすることを特徴とする吸殻回収装置。
【請求項２】
請求項１において、前記挿入係止部材は、指先による引張作業または工具により切断可能とされていることを特徴とする吸殻回収装置。
【請求項３】
請求項１または請求項２において、前記スクレイパーは可撓性材料で形成されていることを特徴とする吸殻回収装置。
【請求項４】
請求項１〜請求項３のうちのいずれか一項において、前記循環部材は第１係止孔をもち、前記スクレイパーは前記第１係止孔に対面可能な第２係止孔をもち、可撓性材料を基材とする前記挿入係止部材は、エンドレス状の前記循環部材の第１係止孔と前記スクレイパーの前記第２係止孔とに嵌め込まれることにより、前記スクレイパー及び前記循環部材を一体的に接続させることを特徴とする吸殻回収装置。
【請求項５】
請求項４において、前記挿入係止部材は、前記スクレイパーの前記第２係止孔に挿通される軸状部と、前記軸状部に一体的に形成され前記スクレイパーの前記第２係止孔または前記循環部材の前記第１係止孔に抜け止め状態に係止される係止頭部と、エンドレス状の前記循環部材の前記第１係止孔または前記スクレイパーの前記第２係止孔に抜け止め状態に係止される径大爪部とを有することを特徴とする吸殻回収装置。
【請求項６】
請求項１〜請求項３のうちのいずれか一項において、前記スクレイパーと前記挿入係止部材とは、一体的に成形されていることを特徴とする吸殻回収装置。
【請求項７】
請求項１〜請求項６のうちのいずれか一項において、エンドレス状の前記循環部材は、エンドレス本体と、前記エンドレス本体に取り付けられ前記第１係止孔をもつ取付具とを備えていることを特徴とする吸殻回収装置。
【請求項８】
吸殻回収装置を構成するエンドレス状の循環部材に接続される吸殻移送部材において、
吸殻を移動させるスクレイパーと、エンドレス状の循環部材に挿入係止されることにより前記スクレイパーを前記循環部材に接続させる挿入係止部材とを有しており、前記挿入係止部材は可撓性材料を基材とすることを特徴とする吸殻移送部材。
【請求項９】
請求項８において、前記挿入係止部材は、指先による引張作業または工具により切断可能とされていることを特徴とする吸殻移送部材。
【請求項１０】
請求項８または請求項９において、前記スクレイパーは第２係止孔をもち、可撓性材料を基材とする前記挿入係止部材は、エンドレス状の前記循環部材の前記第１係止孔と前記スクレイパーの前記第２係止孔とに嵌め込まれることにより、前記スクレイパー及び前記循環部材を一体的に接続させることを特徴とする吸殻移送部材。
【請求項１１】
請求項１０において、前記挿入係止部材は、前記スクレイパーの前記第２係止孔に挿通される軸状部と、前記軸状部に一体的に形成され前記スクレイパーの第２係止孔または循環部材の第１係止孔に抜け止め状態に係止される係止頭部と、エンドレス状の前記循環部材の前記第１係止孔または前記スクレイパーの第２係止孔に抜け止め状態に係止される径大爪部とを有することを特徴とする吸殻移送部材。
【請求項１２】
請求項８または請求項９において、前記スクレイパーと前記挿入係止部材は、一体的に成形されていることを特徴とする吸殻移送部材。
【発明の詳細な説明】
【技術分野】
【０００１】
本発明は遊技施設等に装備されたばこ等の吸殻を回収する吸殻回収装置及びこれに使用される吸殻移送部材に関する。
【背景技術】
【０００２】
特許文献１には、たばこ等の吸殻を回収する吸殻回収装置が開示されている。この吸殻回収装置は、複数個並設された吸殻投入口に沿って延設され吸殻投入口から投入された吸殻を受ける吸殻受け部と、吸殻受け部に沿って移動するエンドレス状のチェーン部材と、エンドレス状のチェーン部材と共に移動するようにチェーン部材に保持され吸殻受け部の吸殻を移送させる吸殻移送部材とを備えている。
【特許文献１】実用新案登録第３０９２９４６号
【発明の開示】
【発明が解決しようとする課題】
【０００３】
上記した従来に係る吸殻回収装置によれば、図１９に示すように、吸殻受け部の吸殻を移送させる吸殻移送部材であるスクレイパー７Ｘは羽根形状とされており、エンドレス状のチェーン部材３３Ｘに一体的に取り付けられる。この場合、図１９に示すように、エンドレス状のチェーン部材３３Ｘにコネクタ具４１Ｘを介して断面Ｌ字形状の取付具４４Ｘが固定される。断面Ｌ字形状の取付具４４Ｘは係止孔４５Ｘをもつ。取り付けの際には、係止頭部８１Ｘをもつ軸状の金属製の挿入係止部材８Ｘを、挿入係止部材８Ｘをワッシャ部材５０Ｘの孔５１Ｘ、スクレイパー７Ｘの孔７１Ｘ、取付具４４Ｘの係止孔４５Ｘに挿入する。そして、その軸状の挿入係止部材８Ｘの先端部８２Ｘをかしめることにより、取付具４４Ｘを介してスクレイパー７Ｘをチェーン部材３３Ｘに保持することにしている。
【０００４】
あるいは、係止頭部８１Ｘをもつ軸状の挿入係止部材８Ｘの先端部８２Ｘに雄ねじ部を形成し、図略のナット部材を雄ねじ部に螺着することにより、取付具４４Ｘを介してスクレイパー７Ｘをチェーン部材３３Ｘに保持することにしている。
【０００５】
しかしながら上記した従来技術によれば、前述したように軸状の挿入係止部材８Ｘをワッシャ部材５０Ｘの孔５１Ｘ、スクレイパー７Ｘの孔７１Ｘに挿入し、更に、その軸状の挿入係止部材８Ｘの先端部８２Ｘをかしめる作業は、必ずしも容易ではない。あるいは、軸状の挿入係止部材８Ｘの先端部８２Ｘの雄ねじ部をワッシャ部材５０Ｘの孔５１Ｘ、スクレイパー７Ｘの孔７１Ｘに挿入し、その雄ねじ部にナット部材を螺着する作業は、必ずしも容易ではない。
【０００６】
したがって上記した従来技術によれば、スクレイパー７Ｘをチェーン部材３３Ｘに保持する作業は、必ずしも容易ではない。殊に、遊技施設等に適用されている場合には、スクレイパー７Ｘは、吸殻投入口よりも下方に配置されるものであるため、スクレイパー７Ｘをチェーン部材３３Ｘに保持する作業のときには、一般的には、作業者はかがみ込みの姿勢を強要されることが多く、その作業は必ずしも容易ではない。
【０００７】
本発明は上記した実情に鑑みてなされたものであり、チェーン部材等の循環部材にスクレイパー等の吸殻移送部材を取り付ける取付作業性を改善した吸殻回収装置及び吸殻移送部材を提供することを課題とする。
【課題を解決するための手段】
【０００８】
（１）本発明に係る吸殻回収装置は、複数個並設された吸殻投入口に沿って延設され吸殻投入口から投入された吸殻を受ける吸殻受け部と、吸殻受け部に沿って移動するエンドレス状の循環部材と、エンドレス状の循環部材と共に移動するように循環部材に保持され吸殻受け部の吸殻を移送させる吸殻移送部材とを具備する吸殻回収装置において、
吸殻移送部材は、吸殻を移動させるスクレイパーと、エンドレス状の循環部材に挿入係止されることによりスクレイパーを循環部材に接続させる挿入係止部材とを有しており、挿入係止部材は可撓性材料を基材とすることを特徴とするものである。
【０００９】
本発明に係る吸殻回収装置によれば、エンドレス状の循環部材に挿入係止部材を挿入係止させることにより、スクレイパーを循環部材に接続させることができる。この場合、挿入係止部材は可撓性材料を基材としており、弾性変形容易であるため、挿入係止部材を簡単な操作でエンドレス状の循環部材を挿入係止させて接続することができる。
【００１０】
（２）本発明に係る吸殻移送部材は、吸殻回収装置を構成するエンドレス状の循環部材に接続される吸殻移送部材において、
吸殻を移動させるスクレイパーと、エンドレス状の循環部材に挿入係止されることによりスクレイパーを循環部材に接続させる挿入係止部材とを有しており、挿入係止部材は可撓性材料を基材とすることを特徴とするものである。
【００１１】
本発明に係る吸殻移送部材によれば、エンドレス状の循環部材に挿入係止部材を挿入係止させることにより、スクレイパーを循環部材に接続させることができる。この場合、挿入係止部材は可撓性材料を基材としており、弾性変形容易であるため、挿入係止部材を簡単な操作でエンドレス状の循環部材に挿入係止させて接続することができる。
【発明の効果】
【００１２】
本発明によれば、挿入係止部材は可撓性材料を基材としており、弾性変形容易であるため、挿入係止部材を簡単な操作でエンドレス状の循環部材に接続することができる。したがって、本発明によれば、チェーン部材等の循環部材に吸殻移送部材を取り付ける取付作業性を改善した吸殻回収装置及び吸殻移送部材を提供することができる。
【発明を実施するための最良の形態】
【００１３】
本発明によれば、挿入係止部材は可撓性材料を基材としている。挿入係止部材を構成する可撓性材料としてはゴム材料または樹脂材料の高分子系材料を採用することができ、たばこ等の吸殻は高温であることもあるため、難燃性または不燃性を有するものが好ましい。樹脂材料には可塑剤を配合して軟質化することができる。挿入係止部材を構成する可撓性材料としては、過剰に軟質であると、高い係止力を維持しにくい。また、過剰に硬質であると、挿入係止部材を循環部材等に取り付けにくなる。これらの事情を考慮して、可撓性材料の硬度を設定する。
【００１４】
本発明によれば、好ましくは、挿入係止部材は、指先による引張作業または工具により切断可能とされている形態を採用することができる。このように挿入係止部材が切断可能であれば、挿入係止部材を切断したとき、挿入係止部材による係止力は解除されるか、あるいは、解除されやすいため、吸殻移送部材とエンドレス状の循環部材との接続を容易に解除することができる。
【００１５】
本発明によれば、好ましくは、スクレイパーは可撓性材料を基材としている形態を採用することができる。スクレイパーを構成する可撓性材料としてはゴム材料または樹脂材料を採用でき、吸殻は高温であることもあるため、難燃性または不燃性を有するものが好ましい。
【００１６】
本発明によれば、好ましくは、循環部材は第１係止孔をもち、スクレイパーは第２係止孔をもち、可撓性材料を基材とする挿入係止部材は、エンドレス状の循環部材の第１係止孔とスクレイパーの第２係止孔とに嵌め込まれることにより、スクレイパー及び循環部材を一体的に接続させる形態を採用することができる。
【００１７】
本発明によれば、好ましくは、挿入係止部材は、スクレイパーの第２係止孔に挿通される軸状部と、軸状部に一体的に形成されスクレイパーの第２係止孔または循環部材の第１係止孔に抜け止め状態に係止される係止頭部と、エンドレス状の循環部材の第１係止孔またはスクレイパーの第２係止孔に抜け止め状態に係止される径大爪部とを有する形態を採用することができる。
【００１８】
好ましくは、スクレイパーと挿入係止部材は、一体的に成形されている形態を採用することができる。エンドレス状の循環部材は、エンドレス本体と、エンドレス本体に取り付けられ第１係止孔をもつ取付具とを備えている形態を採用することができる。エンドレス本体としては、エンドレス状のチェーンまたはエンドレス状のベルトを採用することができる。
【実施例１】
【００１９】
以下、本発明を遊技施設に適用した実施例１について図１〜図７を参照しつつ具体的に説明する。図１に示すように、遊技施設には、複数個のパチンコまたはスロットマシン、ゲーム機器等の遊技機器Ｐが並設されている。遊技施設には、遊技中に吸殻投入口３０に捨てられた煙草等の吸殻を回収する吸殻回収装置３が遊技機器Ｐと共に設けられている。図１及び図２に示すように、吸殻回収装置３は、複数個の遊技機器Ｐに沿って延設され遊技機器Ｐに対応する複数個の灰皿Ａに設けられた吸殻投入口３０をもつ天板３１と、複数個並設された吸殻投入口３０に沿って延設され吸殻投入口３０から投入された吸殻を受ける吸殻受け部３２と、吸殻受け部３２に沿って移動するエンドレス状の循環部材としてのチェーン部材３３と、吸殻を捕集する吸殻捕集部３４とを備えている。吸殻受け部３２の受け面３６は第１支柱３７と第２支柱３８とにより床面から所定の高さ位置に保持されている。
【００２０】
図２に示すように、吸殻捕集部３４は水を貯留する水槽３５をもつ。エンドレス状のチェーン部材３３は、スプロケット等の第１回転体５１と、スプロケット等の第２回転体５２と、スプロケット等の第３回転体５３と、エンドレス状のチェーン部材３３を緊張させるためのテンショナーとして機能できる可動回転体５４とに架設されている。第１回転体５１及び第２回転体５２のうちのいずれか一方が駆動モータに接続された駆動輪とされ、いずれか他方が従動可能な従動輪とされている。
【００２１】
エンドレス状のチェーン部材３３には吸殻移送部材６が保持されている。吸殻移送部材６は、吸殻受け部３２の吸殻を吸殻捕集部３４まで移送させるものである。吸殻移送部材６は、吸殻を移動させるスクレイパー７と、エンドレス状の循環部材としてのチェーン部材３３に挿入係止されることによりスクレイパー７をチェーン部材３３に接続させる挿入係止部材８とで形成されている。吸殻投入口３０から投入された吸殻は落下し、吸殻受け部３２の受け面３６で受けられる。エンドレス状のチェーン部材３３が矢印Ｘ１方向に循環作動するため、吸殻移送部材６がチェーン部材３３と共に移送される。これにより吸殻受け部３２の受け面３６で受けられた吸殻は、吸殻移送部材６により掻き取られて移送され、吸殻捕集部３４の水槽３５の水３５ａに捨てられる（矢印Ｚ方向）。
【００２２】
図３に示すように、エンドレス状のチェーン部材３３は、エンドレス本体としてのチェーン４０と、エンドレス状とするために隣り同士のチェーン４０を繋ぐコネクタ具４１と、コネクタ具４１を介してチェーン４０の側面に取り付けられる金属または硬質樹脂で形成された取付具４４とをもつ。チェーン４０は、複数個のだるま形状の端板４１０を対面させつつ組み付けることにより形成されている。図３に示すように、取付具４４は断面でＬ字形状をなしており、貫通する取付孔４５をもつ第１板部４６と、貫通する第１係止孔４７をもつ第２板部４８とを有する。コネクタ具４１は、チェーン４０を構成する端板４１０と相応する形状となるようにだるま形状をなすコネクタ端板４１ａと、コネクタ端板４１ａに設けられた複数の突部４１ｂとをもつ。コネクタ具４１の突部４１ｂをチェーン４０の筒部４１３の中空室内に挿通すると共に、その突部４１ｂを取付具４４の取付孔４５に挿通し、その状態で、コネクタ具４１の突部４１ｂの先端の止め溝４１ｃにＵ字形状の止め具４９を挿入係止して保持することにより、隣設するチェーン４０は連結される。
【００２３】
本実施例では、互いに隣設する所定長さのチェーン４０同士をエンドレス状に連結させるコネクタ具４１を利用して、取付具４４をチューン４０の側面に取り付け、ひいてはスクレイパー７をチェーン４０に取り付けることにしている。即ち、コネクタ具４１の突部４１ｂを取付具４４の取付孔４５に挿通し、その状態で、前述したように、突部４１ｂの先端の止め溝４１ｃにＵ字形状の止め具４９を留めることにより、チェーン４０の側面に取付具４４を一体的に保持し、ひいては取付具４４を介してスクレイパー７をチェーン４０に取り付けることにしている。
【００２４】
図３に示すように、スクレイパー７は、吸殻を掻き取り易いように長尺な羽根形状をなしている。スクレイパー７は、先端に向かうにつれて上昇傾斜する先端傾斜面７０と、厚み方向に貫通する円形状の第２係止孔７１と、基端側の突部７２とを有する。ただし、スクレイパー７はこの形状に限定されるものではない。
【００２５】
図４は挿入係止部材８を示す。挿入係止部材８はスクレイパー７に対して別体をなしており、図４、図５に示すように、スクレイパー７の第２係止孔７１に挿通される軸状部８０と、軸状部８０に一体的に形成されスクレイパー７の第２係止孔７１に抜け止め状態に係止される係止頭部８１と、エンドレス状のチェーンの取付具４４の第１係止孔４７に抜け止め状態に係止される径大爪部８２と、作業者の指先または工具等で軸長方向（矢印Ａ１方向）に沿って引張ることが可能な先端突部８３と、径大爪部８２から先端突部８３に向けて外径が次第に小さくなる円錐面８４をもつ円錐部８５とを有する。図４に示すように、係止頭部８１は係止面８１rをもつ。径大爪部８２は係止面８１rと対面する係止面８２ｒをもつ。
【００２６】
なお、挿入係止部材８を構成する軸状部８０、係止頭部８１、径大爪部８２、先端突部８３はそれぞれ横断面円形状をなす。
【００２７】
ここで、スクレイパー７は可撓性材料を基材としている。挿入係止部材８も可撓性材料を基材としている。スクレイパー７および挿入係止部材８を構成する可撓性材料としては、ゴム材料または樹脂材料を採用することができ、消火されていない吸殻は高温であることもあるため、可撓性材料は難燃性または不燃性を有するものが好ましい。なお、樹脂材料には可塑剤を配合して軟質化することができる。ここで挿入係止部材８はスクレイパー７と同一の材料で形成されていても良いし、あるいは、異材料で形成されていても良い。
【００２８】
図５から理解できるように、挿入係止部材８について、係止頭部８１の係止力を確保すべく、係止頭部８１の外径Ｄ１は、スクレイパー７の第２係止孔７１の内径及び取付具４４の第１係止孔４７の内径よりも大きく設定されている。軸状部８０の挿入性を確保すべく、軸状部８０の外径Ｄ２は、スクレイパー７の第２係止孔７１の内径及及び取付具４４の第１係止孔４７の内径と等しいか、やや小さくされている。径大爪部８２の係止力を確保すべく、径大爪部８２の外径Ｄ３は、スクレイパー７の第２係止孔７１の内径及び取付具４４の第１係止孔４７の内径よりも大きく設定されている。先端突部８３の外径Ｄ４は、スクレイパー７の第２係止孔７１の内径及び取付具４４の第１係止孔４７の内径よりも小さく設定されている。
【００２９】
本実施例によれば、図４に示すように、スクレイパー７の第２係止孔７１及び取付具４４の第１係止孔４７を対面させつつ重ねた状態で、挿入係止部材８をこれの先端突部８３から第２係止孔７１及び第１係止孔４７に挿入させる。この状態で、指先または工具等により挿入係止部材８の先端突部８３を軸長方向(矢印Ａ１方向)に引張ると、挿入係止部材８の円錐面８４及び径大爪部８２が縮径する方向(図４に示す矢印Ｃ１方向)に弾性変形する。このため、挿入係止部材８の円錐面８４及び径大爪部８２はスクレイパー７の第２係止孔７１及び取付具４４の第１係止孔４７を通過することができる。このように挿入係止部材８の円錐面８４及び径大爪部８２が第２係止孔７１及び第１係止孔４７を通過すると、縮径方向に弾性変形していた円錐面８４及び径大爪部８２は元の形状に復元する。
【００３０】
このように挿入係止部材８の円錐面８４及び径大爪部８２が復元すると、図５に示すように、挿入係止部材８の径大爪部８２は取付具４４の第１係止孔４７の周縁に抜け止め状態に係止されると共に、挿入係止部材８の係止頭部８１はスクレイパー７の第２係止孔７１の周縁に抜け止め状態に係止される。これにより挿入係止部材８を介してチェーン４０の側面の取付具４４にスクレイパー７は一体的に保持される。即ち、挿入係止部材８は、エンドレス状のチェーン４０の取付具４４の第１係止孔４７とスクレイパー７の第２係止孔７１とに嵌め込まれて係止されることにより、スクレイパー７とチェーン４０とを一体的に接続させることができる。
【００３１】
以上説明したように本実施例によれば、スクレイパー７の第２係止孔７１及び取付具４４の第１係止孔４７を対面させつつ重ねた状態で、挿入係止部材８をこれの先端突部８３から第２係止孔７１及び第１係止孔４７に挿入させ、指先または工具等により挿入係止部材８の先端突部８３を軸長方向(矢印Ａ１方向)に引張れば、挿入係止部材８をスクレイパー７の第２係止孔７１及び取付具４４の第１係止孔４７にワンタッチ作業で係止させることができる。このようにチェーン部材３３にスクレイパー７を取り付ける取付作業性を改善することができる。なお、図６は、挿入係止部材８により取付具４４とスクレイパー７とが一体的に取り付けられている状態を示す。
【００３２】
上記したスクレイパー７は可撓性を有するため、スクレイパー７は矢印Ｂ１,Ｂ２方向（図３参照）に弾性変形することができる。従って、前記した吸殻受け部３２に異物が存在するときであっても、異物とスクレイパー７とが過剰に干渉しないように、スクレイパー７は弾性変形して異物に対して逃げることができ、スクレイパー７の過剰干渉を回避でき、スクレイパー７の耐久性を高めることができる。
【００３３】
上記したスクレイパー７について、メンテナンスのための定期的にまたは不定期的にスクレイパー７をチェーン部材３３に対して交換することがある。スクレイパー７の交換時には、スクレイパー７をチェーン部材３３から取り外す必要がある。この場合、図７に模式化して示すように、作業者の指先または工具等により挿入係止部材８の先端突部８３を軸長方向(矢印Ａ１方向)に沿って引張り、挿入係止部材８を縮径させつつ軸長方向において伸張させる。これにより挿入係止部材８の軸状部８０等が縮径しつつ伸張するため、径大爪部８２が取付具４４の表面から距離Ｋ相当ぶん離間する（図７参照）。
【００３４】
このように伸張した挿入係止部材８の軸状部８０を、切断機能を有する工具で切断すれば（図７に示す切断箇所Ｅ）、図８に示すように挿入係止部材８を構成する係止頭部８１と径大爪部８２とが簡単に分離される。この結果、挿入係止部材８をスクレイパー７及び取付具４４から容易に取り外すことができる。ひいてはスクレイパー７をチェーン部材３３から容易に取り外すことができる。このように挿入係止部材８が伸張可能であるため、その伸張部分を切断すれば、スクレイパー７をチェーン部材３３から容易に取り外すことができる。
【００３５】
ところで、仮に挿入係止部材の係止頭部が金属製である場合には、スクレイパー７が弾性変形するとき、挿入係止部材の係止頭部、殊に係止頭部のエッジ等がスクレイパー７の基部７５に食い込むおそれがある。この場合、スクレイパー７の損傷、劣化を促進させ、スクレイパー７の交換頻度が高くなるおそれがある。この点本実施例によれば、挿入係止部材８は係止頭部８１と共にゴム等の可撓性材料で形成されているため、係止頭部８１は金属に比較して軟質であり、従って、挿入係止部材８の係止頭部８１のエッジ等がスクレイパー７の基部７５に食い込むおそれを低減させることができ、スクレイパー７の長寿命化に有利である。
【００３６】
なお、挿入係止部材８の係止頭部８１と径大爪部８２との間の軸長方向の間隔寸法（軸状部８０の長さ）は、これらで挟持されるスクレイパー７の基部７５と取付具４４との幅（厚み）の合計とほぼ同じ間隔に設定することが好ましい。即ち、上記間隔寸法をスクレイパー７の基部７５と取付具４４との幅（厚み）の合計よりも小さくすると、スクレイパー７の取り付け性が低下し、挿入係止部材８の耐久性に影響がでるおそれがある。また、上記間隔寸法をスクレイパー７の基部７５と取付具４４との幅（厚み）の合計よりも大きくすると、スクレイパー７に対する係止力が緩くなるおそれがあり、吸殻の掻き取り能力に影響を与えるおそれがある。
【実施例２】
【００３７】
以下、本発明の実施例２について図９〜図１４を参照しつつ具体的に説明する。本実施例は実施例１と基本的には同様の構成、同様の作用効果を有する。共通する部位には共通の符号を付する。以下、異なる部分を中心として説明する。
【００３８】
本実施例によれば、吸殻移送部材６は、吸殻を移動させるスクレイパー７Ｂと、エンドレス状の循環部材としてのチェーン部材３３に挿入係止されることによりスクレイパー７Ｂをチェーン部材３３に接続させる挿入係止部材８Ｂとで形成されている。図９,図１０に示すように、挿入係止部材８Ｂとスクレイパー７Ｂとは可撓性材料により一体的に成形されている。可撓性材料としては、実施例１と同様に、ゴム材料または樹脂材料を採用することができ、吸殻は高温であることもあるため、可撓性材料は難燃性または不燃性を有するものが好ましい。
【００３９】
図１２,図１３に示すように、挿入係止部材８Ｂは、軸状部８０と、取付具４４の第１係止孔４７に抜け止め状態に係止される径大爪部８２と、作業者の指先または工具等で軸長方向（矢印Ａ１方向）に沿って引張ることが可能な先端突部８３と、径大爪部８２から先端突部８３に向けて外径が次第に小さくなる円錐面８４をもつ円錐部８５とを有する。スクレイパー７Ｂが実施例１の抜け止め用の係止頭部を兼用する。
【００４０】
本実施例によれば、図１２に示すように、スクレイパー７Ｂと一体的な挿入係止部材８Ｂを、これの先端突部８３から取付具４４の第１係止孔４７に挿入する。その状態で、作業者の指先または工具等により挿入係止部材８Ｂの先端突部８３を軸長方向(矢印Ａ１方向)に引っ張ると、挿入係止部材８Ｂの円錐面８４及び径大爪部８２が縮径する方向（矢印Ｃ１方向）に弾性変形するため、挿入係止部材８Ｂの円錐面８４及び径大爪部８２は取付具４４の第１係止孔４７を通過することができる。このように挿入係止部材８Ｂが取付具４４の第１係止孔４７を通過すると、弾性変形していた挿入係止部材８Ｂの円錐面８４及び径大爪部８２は拡径方向に元の形状に復元する。このように挿入係止部材８Ｂの円錐面８４及び径大爪部８２が復元すると、図１３に示すように、挿入係止部材８Ｂの径大爪部８２は取付具４４の第１係止孔４７の周縁に抜け止め状態に係止される。これにより挿入係止部材８Ｂを介してチェーン４０の側面にスクレイパー７Ｂは一体的に保持される。
【００４１】
弾性変形可能なスクレイパー７Ｂは消耗部品であるため、メンテナンスのための定期的または不定期的にスクレイパー７Ｂを交換することがある。スクレイパー７Ｂの交換時には、スクレイパー７Ｂをチェーン４０から取り外す必要がある。この場合には、図１４に模式化して示すように、作業者の指先または工具等により挿入係止部材８Ｂの先端突部８３を軸長方向(矢印Ａ１方向)に沿って引張り、挿入係止部材８Ｂを軸長方向に伸張させる。これにより挿入係止部材８Ｂの軸状部８０が伸張するため、径大爪部８２が取付具４４の表面から距離Ｋ相当ぶん離間する。このように伸張した挿入係止部材８Ｂの軸状部８０を、切断機能を有する工具で切断すれば（図１４参照切断箇所Ｅ）、径大爪部８２がスクレイパー７Ｂから分離される。この結果、取付具４４とスクレイパー７Ｂとを容易に分離することができ、ひいてはスクレイパー７Ｂをチェーンから容易に取り外すことができる。このように挿入係止部材８Ｂが伸張可能であるため、その伸張部分を切断すれば、スクレイパー７Ｂをチェーン４０から容易に取り外すことができる。
【００４２】
ところで、遊技施設では、椅子等に着座した状態で遊技者が遊技することがある。この場合、吸殻受け部３２の受け面３６の高さＨＡは、遊技機器で椅子等に着座した状態で遊技する遊技者の脚の膝の高さ等を考慮すると、少量であっても、なるべく高くすることが好ましい。この点について本実施例によれば、次の利点を期待できる。
【００４３】
すなわち、図１２に示すように挿入係止部材８Ｂには係止頭部８１が設けられておらず、スクレイパー７Ｂの基端部７５のうち挿入係止部材８Ｂと反対側の面７５ａは平坦状をなしている。
【００４４】
ところで図１５，図１６は、挿入係止部材が可撓性材料製ではなく、金属製であり、外方に突出する係止頭部８１Ｍを有するものを用いた参考形態を示す。これを図１５，図１６において挿入係止部材８Ｍと仮称する。図１５，図１６に示すように、第１回転体５１でチェーン部材３３が方向転換するとき、方向変換中のスクレイパー７Ｍ及び挿入係止部材８Ｍの係止頭部８１Ｍが吸殻受け部３２の受け面３６に接触して干渉する。スクレイパー７Ｍは撓み変形可能であり退避が容易であるため、スクレイパー７Ｍが受け面３６に干渉しても特に支障はない。
【００４５】
これに対して金属製の挿入係止部材８Ｍを構成する金属製の係止頭部８１Ｍが吸殻受け部３２の受け面３６に過剰に干渉すると、受け面３６の損傷、挿入係止部材８Ｍの係止頭部８１Ｍの損傷を発生させ、更には、挿入係止部材８Ｍがスクレイパー７Ｍを取り付けている取付力を低下させるおそれがある。これを防止するためには、係止頭部８１Ｍと受け面３６とが干渉しないように、受け面３６の高さＨＡを下方向(矢印Ｙ１方向)に移行させる必要がある。しかしながら受け面３６の高さＨＡを下方向に移行させることは、高さＨＡを高くする観点からは好ましくない。
【００４６】
この点実施例２によれば、前述したように、挿入係止部材８Ｂは撓み変形が容易なゴム等の可撓性材料で形成されているばかりか、挿入係止部材８Ｂには、係止頭部Ｍに相当する係止頭部が設けられていないため、その係止頭部と受け面３６との干渉を厳格に考慮せずとも良い。故に、スクレイパー７Ｂと一体的であり係止頭部が形成されていない挿入係止部材８Ｂを用いる実施例２では、吸殻受け部３２の受け面３６の高さＨＡをなるべく高くするのに有利である。スクレイパー７Ｂと一体的に成形された挿入係止部材８Ｂについては、係止頭部がないことが必須条件ではなく、係止頭部を設けても良い。
【００４７】
なお、スクレイパー７Ｂの基部７５と挿入係止部材８Ｂの径大爪部８２との間の軸長方向の間隔寸法は、これらで挟持される取付具４４の幅（厚み）とほぼ同じ間隔に設定することが好ましい。即ち、上記間隔寸法が取付具４４の幅（厚み）よりも小さいと、スクレイパー７Ｂの取り付け性が低下し、挿入係止部材８Ｂの耐久性に影響がでるおそれがある。また、上記間隔寸法が取付具４４の幅（厚み）よりも大きいと、スクレイパー７Ｂに対する係止力が緩くなるおそれがあり、吸殻の掻き取り能力に影響を与えるおそれがある。
【実施例３】
【００４８】
以下、本発明の実施例３について図１７を参照しつつ具体的に説明する。本実施例は実施例１と基本的には同様の構成、同様の作用効果を有する。以下、異なる部分を中心として説明する。本実施例によれば、図１７に示すように、挿入係止部材８の先端突部８３の外壁面の全域または一部には、粗面部としての凹凸部８３ｋが形成されている。凹凸部８３ｋにより指先または工具との摩擦係合力を増加させることができる。故に、挿入係止部材８を挿入させるとき、切断させるとき、挿入係止部材８の先端突部８３を伸張方向（矢印Ａ１方向）に引張り易くなるため、挿入性及び切断性を改善できる利点が得られる。
【実施例４】
【００４９】
以下、本発明の実施例４について図１８を参照しつつ具体的に説明する。本実施例は実施例１と基本的には同様の構成、同様の作用効果を有する。以下、異なる部分を中心として説明する。本実施例によれば、図１８に示すように、挿入係止部材８の内部には、先端突部８３から径大爪部８２にかけて凹状部８ｆが形成されている。凹状部８ｆにより変形量を増加させることができる。このため、挿入係止部材８による係止力を高めに維持するために、挿入係止部材８を構成する可撓性材料を比較硬めとしているときであっても、挿入係止部材８の径大爪部８２の縮径方向の弾性変形量を確保することができる利点が得られる。
【００５０】
（他の例）
その他、本発明は上記し且つ図面に示した実施例のみに限定されるものではなく、要旨を逸脱しない範囲内で適宜変更して実施できるものである。
【産業上の利用可能性】
【００５１】
本発明はパチンコ台、スロットマシン、ゲーム機器等の遊技機器が据え付けられる遊技施設に利用することができる。
【図面の簡単な説明】
【００５２】
【図１】実施例１に係り、吸殻回収装置を装備した遊技機器が設けられている遊技施設の要部を概略的に示す斜視図である。
【図２】実施例１に係り、吸殻回収装置の断面図である。
【図３】実施例１に係り、吸殻回収装置を構成するチェーン部材とスクレイパーと挿入係止部材等の取付構造を分解して示す分解斜視図である。
【図４】実施例１に係り、挿入係止部材の側面図である。
【図５】実施例１に係り、挿入係止部材により取付具及びスクレイパーを一体的に取り付けている状態を一部断面にして示す側面図である。
【図６】実施例１に係り、挿入係止部材により取付具を取り付けたスクレイパーの正面図である。
【図７】実施例１に係り、取付具及びスクレイパーを一体的に取り付けている挿入係止部材を軸長方向に引張っている状態を一部断面に示す側面図である。
【図８】実施例１に係り、取付具及びスクレイパーを一体的に取り付けている挿入係止部材を引張った後に切断した状態を模式的に一部断面にして示す側面図である。
【図９】実施例２に係り、挿入係止部材を一体的に成形したスクレイパーの正面図である。
【図１０】実施例２に係り、挿入係止部材を一体的に成形したスクレイパーの側面図である。
【図１１】実施例２に係り、挿入係止部材を一体的に成形したスクレイパーとチェーン部材との取付構造を分解して示す分解斜視図である。
【図１２】実施例２に係り、挿入係止部材を一体的に成形したスクレイパーの要部の側面図である。
【図１３】実施例２に係り、挿入係止部材を一体的に成形したスクレイパーを取付具に取り付けた状態を示す一部断面にして示す側面図である。
【図１４】実施例２に係り  取付具及びスクレイパーを一体的に取り付けている挿入係止部材を引張っている状態を示す断面図である。
【図１５】参考形態に係り、回転体によりチェーン部材が方向変換した状態において、スクレイパー及び挿入係止部材の係止頭部の状態を示す構成図である。
【図１６】参考形態に係り、回転体によりチェーン部材が方向変換する途中状態において、スクレイパー及び挿入係止部材の係止頭部の状態を示す構成図である。
【図１７】実施例３に係り、挿入係止部材により取付具及びスクレイパーを一体的に取り付けている状態を一部断面にして示す側面図である。
【図１８】実施例４に係り、挿入係止部材の側面図である。
【図１９】従来技術に係り、挿入係止部材を一体的に成形したスクレイパーとチェーン部材との取付構造を分解して示す分解斜視図である。
【符号の説明】
【００５３】
図中、Ｐは遊技機器、３は吸殻回収装置、３０は吸殻投入口、３２は吸殻受け部、３３はチェーン部材（循環部材）、３４は吸殻捕集部、３６は受け面、４０はチェーン（エンドレス本体）、４１はコネクタ具、４４は取付具、４５は取付孔、４７は第１係止孔、６は吸殻移送部材、７はスクレイパー、７１は第２係止孔、８は挿入係止部材、８０は軸状部、８１は係止頭部、８２は径大爪部、８３は先端突部、８４は円錐面、８５は円錐部を示す。
【図１】
2005318831.tif 000003
【図２】
2005318831.tif 000004
【図３】
2005318831.tif 000005
【図４】
2005318831.tif 000006
【図５】
2005318831.tif 000007
【図６】
2005318831.tif 000008
【図７】
2005318831.tif 000009
【図８】
2005318831.tif 000010
【図９】
2005318831.tif 000011
【図１０】
2005318831.tif 000012
【図１１】
2005318831.tif 000013
【図１２】
2005318831.tif 000014
【図１３】
2005318831.tif 000015
【図１４】
2005318831.tif 000016
【図１５】
2005318831.tif 000017
【図１６】
2005318831.tif 000018
【図１７】
2005318831.tif 000019
【図１８】
2005318831.tif 000020
【図１９】
2005318831.tif 000021